(57)【要約】      （修正有）【課題】乗場三方枠周囲の壁面の形成に熟練を必要とせず、短時間で上記壁面を完成させることができるエレベータ乗場の壁仕上げ装置を提供する。【解決手段】エレベータ乗場に立設され、建物壁１の開口部に配置された乗場三方枠と、乗場三方枠の各縦柱並びに上枠の一辺を挟持して、一辺に固定される挟持手段８と、挟持手段８に設けられ、一辺及び建物壁１間にモルタル７が充填される際に、モルタル７を案内する案内面９ａを有する案内手段９とを備えるとともに、案内手段９の案内面９ａを、一辺の長手に沿って配置するとともに、乗場の壁面との境界が形成される一辺の一側面に所定の角度を有して対向して配置する。【選択図】図４
2007331879.tif 000002
【特許請求の範囲】
【請求項１】
エレベータ乗場に立設され、建物壁の開口部に配置された乗場三方枠と、
前記乗場三方枠の各縦柱及び上枠の一辺を挟持して、前記一辺に固定される挟持手段と、
前記挟持手段に設けられ、前記一辺及び前記建物壁間にモルタルが充填される際に前記モルタルを案内する案内面を有する案内手段と、
を備え、
前記案内手段は、前記案内面が、前記一辺の長手に沿って配置されるとともに、前記乗場の壁面との境界が形成される前記一辺の一側面に所定の角度を有して対向して配置されることを特徴とするエレベータ乗場の壁仕上げ装置。
【請求項２】
案内手段は、
挟持手段に回動自在に設けられ、案内面を乗場三方枠の一辺の一側面に所定範囲内の任意の角度で対向して配置させる案内部と、
前記挟持手段及び前記案内部に設けられ、前記案内部の回動を制止して、前記案内面を前記一辺の一側面に対して所定の角度に配置する回動制止手段と、
を備えたことを特徴とする請求項１に記載のエレベータ乗場の壁仕上げ装置。
【請求項３】
案内手段は、案内面が乗場三方枠の一辺の一側面に前記一辺の長手に沿って接触することを特徴とする請求項１又は請求項２に記載のエレベータ乗場の壁仕上げ装置。
【請求項４】
挟持手段は、乗場三方枠の一辺を挟持する挟持面の間隔が所定の範囲で可変に構成されたことを特徴とする請求項１から請求項３の何れかに記載のエレベータ乗場の壁仕上げ装置。
【請求項５】
挟持手段は、
乗場三方枠の一辺の一側面に接触する第１挟持板と、
前記一辺の他側面に接触する第２挟持板と、
前記第１挟持板及び前記第２挟持板に形成された挟持面の間隔が所定の範囲で可変となるように、前記第１挟持板及び前記第２挟持板を支持する支持手段と、
前記支持手段に設けられ、前記挟持面の間隔を所定の幅で固定する挟持幅固定手段と、
前記支持手段に設けられ、前記第１挟持板又は前記第２挟持板を前記挟持面の間隔が狭まる方向に押し付けて、前記第１挟持板及び前記第２挟持板によって前記一辺を挟持させる押圧手段と、
を備えたことを特徴とする請求項４に記載のエレベータ乗場の壁仕上げ装置。
【請求項６】
挟持手段は、乗場三方枠の一辺を挟持する挟持面が軟質材で構成されたことを特徴とする請求項１から請求項５の何れかに記載のエレベータ乗場の壁仕上げ装置。
【発明の詳細な説明】
【技術分野】
【０００１】
この発明は、エレベータ乗場に立設された乗場三方枠の周囲の壁面を形成する際に使用される壁仕上げ装置に関するものである。
【背景技術】
【０００２】
一般に、エレベータ装置では、エレベータ昇降路内へ通じる建築壁の開口部に乗場三方枠が立設され、この乗場三方枠と乗場の床面とによって乗場出入口が形成される。また、乗場三方枠を乗場に立設した後、乗場三方枠の周囲にモルタルを充填するとともに、充填されたモルタルの表面を所定の形状に仕上げることにより、乗場の壁面の一部、即ち、乗場三方枠の周囲の壁面が形成される。
【０００３】
なお、従来技術として、建物壁に断面Ｌ字状の仕切板を介して乗場三方枠を固定する取付装置が提案されている（例えば、特許文献１参照）。かかる取付装置では、乗場三方枠と建物壁との間に形成された隙間の全面を上記仕切板で覆うとともに、この仕切板に平板部を有する複数の保持具を取り付けることによって、乗場三方枠の周囲にモルタルを充填する際の接合部とモルタルとの接着性を向上させ、作業時間の短縮を図っている。
【０００４】
【特許文献１】特開平４−３４５４８７号公報
【発明の開示】
【発明が解決しようとする課題】
【０００５】
特許文献１に記載された乗場三方枠の両側の壁面は、乗場側に向かって広がるように形成されている。従来では、このような壁面を含め乗場三方枠の周囲の壁面を形成するに際し、乗場三方枠の外形の大きさを考慮しながら所定の傾斜面等を鏝等によって形成しなければならず、その仕上げ作業に熟練を要し、作業時間が長くなるといった問題があった。
【０００６】
この発明は、上述のような課題を解決するためになされたもので、その目的は、乗場三方枠周囲の壁面の形成に熟練を必要とせず、短時間で上記壁面を完成させることができるエレベータ乗場の壁仕上げ装置を提供することである。
【課題を解決するための手段】
【０００７】
この発明に係るエレベータ乗場の壁仕上げ装置は、エレベータ乗場に立設され、建物壁の開口部に配置された乗場三方枠と、乗場三方枠の各縦柱及び上枠の一辺を挟持して、一辺に固定される挟持手段と、挟持手段に設けられ、一辺及び建物壁間にモルタルが充填される際にモルタルを案内する案内面を有する案内手段と、を備え、案内手段は、案内面が、一辺の長手に沿って配置されるとともに、乗場の壁面との境界が形成される一辺の一側面に所定の角度を有して対向して配置されるものである。
【発明の効果】
【０００８】
この発明は、エレベータ乗場に立設され、建物壁の開口部に配置された乗場三方枠と、乗場三方枠の各縦柱及び上枠の一辺を挟持して、一辺に固定される挟持手段と、挟持手段に設けられ、一辺及び建物壁間にモルタルが充填される際にモルタルを案内する案内面を有する案内手段と、を備え、案内手段は、案内面が、一辺の長手に沿って配置されるとともに、乗場の壁面との境界が形成される一辺の一側面に所定の角度を有して対向して配置される構成としたことで、乗場三方枠周囲の壁面の形成に熟練を必要とせず、短時間で上記壁面を完成させることができる。
【発明を実施するための最良の形態】
【０００９】
この発明をより詳細に説明するため、添付の図面に従ってこれを説明する。なお、各図中、同一又は相当する部分には同一の符号を付しており、その重複説明は適宜に簡略化ないし省略する。
【００１０】
実施の形態１．
図１はこの発明の実施の形態１におけるエレベータ乗場を示す正面図、図２はこの発明の実施の形態１におけるエレベータ乗場の壁仕上げ装置を示す要部斜視図、図３は図２におけるＣ部詳細図、図４は図１におけるＡ−Ａ断面図、図５は図１におけるＢ−Ｂ断面図、図６は図５におけるＤ部詳細図である。なお、図２は図４に示す部分を斜め上方から見た状態を示している。
【００１１】
図１乃至図６において、１はエレベータ乗場に設けられ、乗場とエレベータ昇降路とを隔てる建物壁、２は乗場床、３は乗場床２に立設された乗場三方枠である。なお、建物壁１には昇降路に通じる開口部が形成されており、上記乗場三方枠３は、建物壁１に形成された開口部に立設されるように配置されている。また、上記乗場三方枠３は、乗場床２から立設された両側の縦柱３ａ及び３ｂと、縦柱３ａ及び３ｂの上端部間に跨って設けられた上枠３ｃとから構成されており、乗場床２とによって昇降路内へと通じる乗場出入口を形成する。４は乗場三方枠３の昇降路側に配置されて乗場出入口を開閉する両引き戸からなる乗場戸、５は乗場の壁面の一部、即ち、乗場三方枠３の周囲の壁面を形成するために、乗場三方枠３に取り付けられた壁仕上げ装置である。
【００１２】
ここで、上記乗場三方枠３は、建物壁１の開口縁部に設けられた堰板６に固定されることによって、建物壁１の開口部内の所定位置に配置されて乗場床２に立設される。なお、堰板６は乗場三方枠３の周囲に形成された建物壁１との隙間の全面を覆うように配置される。そして、上記堰板６全体を覆い隠すように乗場側から乗場三方枠３と建物壁１との隙間にモルタル７が充填され、充填されたモルタル７の表面が所定の形状に仕上げられて、乗場の壁面の一部、即ち、乗場三方枠３の周囲の壁面が形成される。
【００１３】
次に、上記壁仕上げ装置５の構成を、図２乃至図４に基づいて詳説する。なお、図２乃至図４は、壁仕上げ装置５が乗場三方枠３の一方の縦柱３ｂに取り付けられた状態を示したものである。図２乃至図４において、壁仕上げ装置５は、乗場三方枠３の一方の縦柱３ｂを挟持して、縦柱３ｂに固定される挟持手段８と、挟持手段８に設けられ、縦柱３ｂ及び建物壁１間にモルタル７が充填される際に、このモルタル７を案内する案内面９ａを有する案内手段９とを備えている。なお、上記案内手段９は、案内面９ａが、縦柱３ｂの長手（上下）方向に沿って配置されるとともに、所定の形状に仕上げられたモルタル７の表面からなる乗場の壁面との境界が形成される縦柱３ｂの一側面３ｄに、所定の角度を有して対向して配置されるように構成される。
【００１４】
上記挟持手段８は、案内手段９を確実に支持するため、縦柱３ｂの長さに応じて複数（図１においては、上下に各１つずつ）設けられており、縦柱３ｂの一側面３ｄ及び一側面３ｄの反対側に形成された他側面３ｅを挟持する挟持面の間隔が、様々な縦柱３ｂの幅（一側面３ｄ及び他側面３ｅ間距離）に対応可能なように、所定の範囲で可変に構成されている。
【００１５】
ここで、１０は縦柱３ｂの一側面３ｄに接触する挟持面が形成された長板状の第１挟持板、１１は平面視略Ｌ字状に曲成された板状部材からなり、短辺部の先端が挟持板１０の背面に設けられ、長辺部が縦柱３ｂの他側面３ｅ側に向かって延設された第１摺動部材、１２は第１摺動部材１１の断面よりも僅かに大きな断面の中空部を有する略四角筒状を呈し、第１摺動部材１１の長辺部が一端部側から上記中空部内に配置されるとともに、その一側面に長手に渡ってスリット１２ａが形成された第２摺動部材、１３は第２摺動部材１２とによって平面視略Ｌ字状を形成するように前記第２摺動部材１２の他端部に設けられ、縦柱３ｂの他側面３ｅと所定の間隙を有して対向して配置された支持板、１４は後述する押圧手段１５を介して支持板１３に支持され、縦柱３ｂの他側面３ｅに接触する挟持面が形成された板状の第２挟持板である。
【００１６】
上記第１挟持板１０及び第２挟持板１４は、各挟持面の間隔が、第１摺動部材１１が第２摺動部材１２の中空部内を摺動することによって、所定の範囲で可変に構成される。なお、実施の形態１において、第１挟持板１０及び第２挟持板１４を支持する支持手段は、上記第１摺動部材１１、第２摺動部材１２、支持板１３からなる。また、乗場三方枠３の縦柱３ｂに傷を付けることを防止するため、第１挟持板１０及び第２挟持板１４に形成された各挟持面、並びに、縦柱３ｂに接触する可能性のある第２摺動部材１２の他側面は軟質材で構成されており、例えば、ラバー１０ａ、１４ａ、１２ｂがそれぞれ接着固定されている。
【００１７】
また、１６は第１摺動部材１１に設けられ、第２摺動部材１２の第１摺動部材１１に対する摺動を制止することにより、第１挟持板１０及び第２挟持板１４に形成された挟持面の間隔を所定の幅で固定する挟持幅固定手段である。上記挟持幅固定手段１６は、例えば、第１摺動部材１１の長辺部の一側面に立設され、先端ネジ部がスリット１２ａを通って第２摺動部材１２の外側に配置されたネジ棒１７と、ネジ棒１７に挿通された押圧板１８と、第１摺動部材１１の長辺部との間に押圧板１８が配置されるようにネジ棒１７のネジ部に螺嵌された蝶ナット１９とから構成される。そして、蝶ナット１９がネジ棒１７のネジ部に締め付けられることにより、押圧板１８と第１摺動部材１１の長辺部とによって第２摺動部材１２のスリット１２ａ縁部を挟持して、第２摺動部材１２の第１摺動部材１１に対する摺動を制止する。
【００１８】
なお、上記押圧手段１５は、例えば、中間ネジ部が支持板１３に形成されたネジ孔に螺嵌されることにより支持板１３に設けられ、先端部に第２挟持板１４が回動自在に設けられた蝶ボルト２０から構成される。そして、蝶ボルト２０を回動することにより、蝶ボルト２０がネジ部の軸方向に僅かに進退して、第２挟持板１４の挟持面が第１挟持板１０の挟持面に接近及び離隔される。
【００１９】
一方、上記案内手段９は、挟持手段８に回動自在に設けられ、案内面９ａを乗場三方枠３の縦柱３ｂの一側面３ｄに所定範囲内の任意の角度で対抗して配置させる案内部２１と、挟持手段８及び案内部２１に設けられ、案内部２１の回動を制止して、案内面９ａを乗場三方枠３の縦柱３ｂの一側面３ｄに対して所定の角度に配置する回動制止手段２２とを備えている。
【００２０】
ここで、上記案内部２１は、例えば、長板状を呈して一側面に案内面９ａが形成されるとともに、蝶番２３によって第１挟持板１０に回動自在に支持される。また、回動制止手段２２は、例えば、案内部２１の背面に突設された軸支持部２４と、軸支持部２４に回動自在に設けられ、軸方向が縦柱３ｂの長手（上下）方向に配置された回動軸２５と、回動軸２５に設けられ、その軸方向が回動軸２５と直交するように配置されたネジ棒２６と、ネジ棒２６に螺嵌された２つのナット２７及び２８と、第１挟持板１０の背面に突設され、上記ネジ棒２６の径よりも大きな幅のスリットが形成されることにより、先端がフォーク状に二股に分かれた連結部２９とから構成される。そして、回動軸２５によって回動自在に支持されたネジ棒２６が、連結部２９のスリット内を通過するように配置されるとともに、連結部２９の両側に、ネジ棒２６に螺嵌されたナット２７及び２８が配置される。
【００２１】
次に、上記構成を有する壁仕上げ装置５を使用して、乗場三方枠３の周囲の壁面を形成する手順について説明する。なお、以下においては、最初に縦柱３ｂの側方の壁面を、その後、上枠３ｃの上方の壁面を形成する場合について説明する。
【００２２】
作業者は、先ず、壁仕上げ装置５を縦柱３ｂに取り付け、案内手段９を所定の位置、即ち、案内面９ａを所定の角度に固定する。具体的には、壁仕上げ装置５を縦柱３ｂに取り付ける前に、蝶ボルト２０を一方に回転させて第２挟持板１４を支持板１３側に移動させる。また、蝶ナット１９を弛緩させて第１摺動部材１１及び第２摺動部材１２を摺動可能な状態にしておく。次に、挟持面の間隔を縦柱３ｂの一側面３ｄ及び他側面３ｅ間距離よりも大きくなるように調整して、第１挟持板１０の挟持面を縦柱３ｂの一側面３ｄに、第２挟持板１４の挟持面を縦柱３ｂの他側面３ｅに対向するように配置する。
【００２３】
そして、両挟持面が縦柱３ｂの一側面３ｄ及び他側面３ｅに軽く接触する程度に挟持面の間隔を狭めた後、蝶ナット１９を締め付けて第１摺動部材１１と第２摺動部材１２とを固定する。その後、第２摺動部材１２に設けられたラバー１２ｂが縦柱３ｂに接触する状態を保持したまま蝶ボルト２０を締め付けることにより、第２挟持板１４を挟持面の間隔が狭まる方向に押し付け、第１挟持板１０及び第２挟持板１４によって縦柱３ｂを挟持する。かかる手順により、壁仕上げ装置５が縦柱３ｂの所定位置（高さ）に固定される。
【００２４】
壁仕上げ装置５を縦柱３ｂに固定した後、作業者は、ナット２７及び２８をそれぞれ逆方向に回転させてナット２７及び２８の間隔を広げ、案内部２１を所定範囲の角度内において回動自在な状態とする。そして、この状態で定規等を用いて案内面９ａの配置（角度）を設定して案内面９ａを縦柱３ｂに対して所望の角度に配置し、連結部２９の先端部を挟持するようにナット２７及び２８を締め付けて案内部２１を固定する。上記手順により、壁仕上げ装置５の固定及び案内面９ａの配置が終了する。
【００２５】
次に、作業者は、案内面９ａ及び縦柱３ｂの一側面３ｄ間にモルタル７を充填する。なお、案内部２１を上記傾斜に配置することにより、案内面９ａが、縦柱３ｂの一側面３ｄに上下に渡って接触するように配置される。したがって、充填されたモルタル７が案内面９ａに案内されることにより、乗場三方枠３とモルタル７の突合せ面と（乗場三方枠３の縦柱３ｂの一側面３ｄと乗場の壁面との境界）の直線度、並びに、縦柱３ｂの一側面３ｄとモルタル７の仕上げ面（乗場の壁面）との角度が容易に形成される。そして、作業者は、堰板６及び建物壁１の開口縁部側にもモルタル７を充填し、案内面９ａによって形成された仕上げ面に合わせてモルタル７表面全体を形成する。
【００２６】
なお、上枠３ｃの上方の壁面は、上記と同様の手順により形成される。即ち、作業者は、先ず、壁仕上げ装置５を上枠３ｃに取り付け、案内面９ａを所定の角度に固定する。ここで、案内面９ａの角度の設定は、例えば、乗場の壁面を上枠３ｃの上面に直交させる場合は、案内面９ａが上枠３ｃの上面に直立するように調整される。そして、壁仕上げ装置５の固定及び案内面９ａの配置が終了した後、モルタル７を所定場所に充填して乗場の壁面を形成する。なお、図５及び図６は、上枠３ｃの上方の壁面を形成する際の状態を示したものである。
【００２７】
実施の形態１によれば、壁仕上げ装置５の案内手段９に形成された案内面９ａが、乗場三方枠３に所定の角度を有して対向して配置されるため、充填されたモルタル７が案内面９ａに案内されて、乗場三方枠３に近接する乗場の壁面を容易に形成することができる。このため、乗場三方枠３の周囲の壁面を形成するに際し熟練を必要とせず、短時間で上記壁面を完成させることが可能となる。また、案内部２１が挟持手段８に回動自在に設けられるとともに、回動制止手段２２によって案内面９ａを乗場三方枠３に対して所定の角度に配置することができるため、様々な角度の傾斜面に対しても容易に対応させることができる。なお、挟持幅固定手段１６及び押圧手段１５を備えることにより、簡単な構成で挟持手段８を構成することができるとともに、乗場三方枠３への取り付けも容易となって作業性がさらに向上する。
【図面の簡単な説明】
【００２８】
【図１】この発明の実施の形態１におけるエレベータ乗場を示す正面図である。
【図２】この発明の実施の形態１におけるエレベータ乗場の壁仕上げ装置を示す要部斜視図である。
【図３】図２におけるＣ部詳細図である。
【図４】図１におけるＡ−Ａ断面図である。
【図５】図１におけるＢ−Ｂ断面図である。
【図６】図５におけるＤ部詳細図である。
【符号の説明】
【００２９】
１  建物壁、  ２  乗場床、  ３  乗場三方枠、  ３ａ  縦柱、  ３ｂ  縦柱、
３ｃ  上枠、  ３ｄ  一側面、  ３ｅ  他側面、  ４  乗場戸、  ５  壁仕上げ装置、
６  堰板、  ７  モルタル、  ８  挟持手段、  ９  案内手段、  ９ａ  案内面、
１０  第１挟持板、  １０ａ  ラバー、  １１  第１摺動部材、
１２  第２摺動部材、  １２ａ  スリット、  １２ｂ  ラバー、  １３  支持板、
１４  第２挟持板、  １４ａ  ラバー、  １５  押圧手段、  １６  挟持幅固定手段、
１７  ネジ棒、  １８  押圧板、  １９  蝶ナット、  ２０  蝶ボルト、
２１  案内部、  ２２  回動制止手段、  ２３  蝶番  ２４、  軸支持部、
２５  回動軸、  ２６  ネジ棒、  ２７  ナット、  ２８  ナット、  ２９  連結部
【図１】
2007331879.tif 000003
【図２】
2007331879.tif 000004
【図３】
2007331879.tif 000005
【図４】
2007331879.tif 000006
【図５】
2007331879.tif 000007
【図６】
2007331879.tif 000008